(57)【要約】      （修正有）【課題】衛生的で携行に良い、咄嗟に使え、簡便であり、省資源で安価であり、歯科衛生状態の改善に効果がある歯ブラシを提供する。【解決手段】カートリッジ式でシンプルなミニ歯ブラシであり、この歯ブラシ装置の主たるところは、独立した植毛台６と独立したハンドル容器１０で構成され、植毛台の交換、着脱、固定が安全でしかも容易にでき、その時其の場で咄嗟に歯を磨く事が出来る衛生的で安価であり、エコロジーである歯ブラシ。【選択図】図１
2010110607.tif 000002
【特許請求の範囲】
【請求項１】
底に掛かり付き底面角凸（１）、正面と背面に側面凹（２）、からなる固定凹凸を設け、平面には湾曲線状に沿って植毛する穴（３）を設けた台の正面側と背面側又は正面側か背面側にジョイント（４）を設けてなる連続台（５）を作り、連続的に穴（３）に植毛して連続植毛台（６）を作り、連続植毛台（６）からジョイント（４）を外して成るカートリッジ式ミニ歯ブラシにおける、先端ブラシ着脱用の植毛台（７）を作る。
杓子状ハンドルの先にある容器の底に角孔（８）、容器の内側に内側凸（９）を設けたカートリッジ式ミニ歯ブラシ（１５）における、ハンドル先端に装置したハンドル容器（１０）を作る。上記ハンドル容器（１０）の角孔（８）に上記植毛台（７）の底面角凸（１）を合わせて、（１）の先が（８）を介して（１０）外下方に飛び出し掛かりによって止まるまで押し込み、内側凸（９）と側面凹（２）も凹凸合致させ、植毛台を外す時は飛び出ている（１）を逆に押し込む構成植毛台とハンドルを着脱して用いる事で成るカートリッジ式ミニ歯ブラシ装置並びに該ミニ歯ブラシの製法。
【請求項２】
請求項１の植毛台底に掛かり付き底面円凸（１１）、ハンドル容器（１０）の底に丸孔（１２）を設け、植毛台をハンドル容器に装着するときは底面円凸（１１）の溝をハンドル容器（１０）の丸孔（１２）に（１１）の先が容器外下方に飛び出す状態に嵌まり、植毛台を外す時は飛び出ている（１１）を逆に押し込む構成からなる着脱部を強化した請求項１の植毛台とハンドル容器を作り、植毛台とハンドルを着脱して用いる事で成る請求項１のカートリッジ式ミニ歯ブラシ装置並びに該ミニ歯ブラシの製法。
【請求項３】
毛の長さを予め長めに植毛した長毛植毛台（１３）をミニ歯ブラシに採用し、使用者側で毛を何時でも好みの形状に鋏を用いてカット整毛を可能にする、請求項１．２のカートリッジ式ミニ歯ブラシ装置並びに該ミニ歯ブラシの製法。
【請求項４】
片方の親指で開閉フック（１４）を操作するために、残りの指で長い筒を保持しながら、請求項１．２．３のミニ歯ブラシの出し入れが容易に行なえる略Ｔ字型のミニ歯ブラシ容器（１６）をセットした、請求項１．２．３のカートリッジ式ミニ歯ブラシ装置並びに該ミニ歯ブラシの製法。
【発明の詳細な説明】
【技術分野】
【０００１】  本発明は、著しく衛生的で使用も簡単な、省資源に優れたミニ歯ブラシ装置に関する。
【背景技術】
【０００２】  良い歯ブラシの条件は、使用者が日常生活環境の中で歯疾患の予防と健康な歯を守る維持する為に容易に取り扱える歯ブラシあるべきであるが、従来では容易で無かった。
にもかかわらず、従来の歯ブラシ等は歯科衛生に不可欠な生活必需品でありながら、永年優れた改良がなされず進歩性に乏しい物ばかりが氾濫していた。
従来品には磨きたい時に咄嗟に磨ける歯ブラシが無い。従来品による歯磨き動作には歯磨き剤や濯ぎ水を必要とする煩雑で無駄な動作が伴い扱い難い問題があった。
従来はハンドル上に植毛束の数が蜜で多く、雑菌が密集繁殖し易い不衛生な物品がほとんどであるから、何時も身に付けて持ち歩けない。高価な歯ブラシであっても安価な歯ブラシであっても毛束の折損や曲がって元に戻らないと丈夫なハンドルを付けたまま歯ブラシ全体を廃棄するから、プラスチック資源の無駄使いを永年繰り返していた。従来品は不便で資源を無駄に使う構成の上に成っている。
そのような歯ブラシで歯を磨いている歯磨き習慣は健康な歯を保つ為に優れているとは云えず、気休めの歯磨きは歯を蝕む遠因でもあることになり、従来の歯磨き習慣の悪さから、歯磨き回数が増えない！故に歯科衛生状態の悪さが永年改善されない等々！誠に深刻な問題がある。【０００３】  日に３回以上従来歯ブラシを用いた歯磨きをする事は（歯磨き剤や水にコップ洗面設備等を必要とするから）到底出来難く、現代の生活住環境において従来の歯ブラシを使い従来の歯磨き習慣を継続させようとすることは、誠に愚かな事である。１日１〜２回しか歯ブラシを使えない歯ブラシとその歯磨き習慣は即刻改めるべきである。
現代人は物を食し歯を汚し放置する時間が長すぎる！食後早目に歯を磨き、歯を清潔にする習慣が育たないと健康な歯を維持することが出来ない。【０００４】  従来の歯磨き習慣では、１度使用した歯ブラシを滅菌する事なしに再々使用している場合が多く衛生的に頗る悪い。
植毛束が少ない歯ブラシなら使用後に付着した食物残渣などを植毛部において直ちに発見でき、容易に払うことができる、１回で使い棄てるならどんな歯ブラシでも良いが、従来の歯ブラシでは柄の先端に植毛穴を１０個以上蜜に羅列して植毛束を植毛したブラシで繰り返し使う物が多く、歯間に雑菌が留まり易い。食物残渣を上からこさぎ取るべきであるが、歯間に押さえ込んでしまう場合がある。残念ながら使用者達は従来歯ブラシに雑菌が在ろうが無かろうが磨き剤を上に重ね平然と使用する事に慣らされている。
従来の歯ブラシメーカー達は目を引くデザインにばかりこだわり、使い易い歯ブラシ、歯科疾患を予防し易い歯ブラシ、消費者が咄嗟に使え、自然に使いたくなる歯ブラシの開発研究を怠り、誇大なＴＶ広告で国民を欺き、真に国民の歯科衛生状態を好転させる歯ブラシの提供を怠った。
宇宙船で生活する宇宙飛行士や酷寒の南極等で観測をする隊員、砂漠で研究する人々でなくても、歯磨きは全世界の人々が健康のため食事を楽しむ為に行いたくなるが、従来の多くの歯ブラシは水を使わなければ使えない問題があるから、使いにくくて歯が病み易い環境と習慣からいつまでも脱出できていませんでした。
【発明の開示】
【発明が解決しようとする課題】
【０００５】  宇宙船で生活する宇宙飛行士や酷寒の南極で観測をする隊員、砂漠で研究する人々が咄嗟に水が無くても磨ける歯ブラシ、健康な人は無論のこと半健康的な人にとっても、健康のため食事を楽しむため、本発明の歯ブラシを使用すれば従来に在った諸問題を解決でき、本発明品を用いて新たな歯磨き習慣を始めれば、日に日にその爽やかで驚くほどの効果を体感できます。従来の諸問題を解決する歯ブラシを安価に提供し、歯疾患の予防に著しく貢献する。
シンプルな本発明の歯ブラシは従来に比べ著しく省資源にもなり地球環境に貢献する省エネルギーとなる。
従来の歯ブラシでは果たし得なかった衛生的で使い易い歯ブラシ、歯科疾患を予防し易い歯ブラシ、鋏を使い毛先を自在に整毛出来る歯ブラシ、何処にいても咄嗟に使える歯ブラシ、環境に優しい歯ブラシ、自然に使いたくなる歯ブラシを提供し、問題を解決し、慢性的に悪しき国民の歯科衛生状態にある問題を好転させる。
【課題を解決する為の手段】
【０００６】  植毛台の広さを狭くして、毛束の数を少なく、植毛密度を少なくし、植毛台が容易にハンドルに着脱できる。植毛された毛束の状態を何時も視覚し易くしてブラシの植毛台を滅菌消毒したい場合、アルコールや食塩水に浸し易くするなど、何時もブラシの衛生状態を確かめながら清潔に扱えブラシ毛のデザインを鋏等で容易に整毛できる。簡単に植毛部を交換でき、シンプルで携行に適し咄嗟に使えるから、その使用感がいつも爽やかであり、省資源にもなり安価で経済性に優れている等を目的としており、その目的を満たす為に本発明は次の手段を講じた。
前記の請求項に記載した特徴のごとく、合理的な植毛台とマッチするハンドルを作り、植毛や装着に工夫された歯ブラシセットを提供し、上記目的を満たし、歯を磨きたい時、歯を汚した時、その時其の場でブラッシングできて何時も美しい歯を維持していたい使用者のニーズに応える為、問題を解決する手段として前記の請求項の如く次のような手段を講じた。
【０００７】  カートリッジ式ミニ歯ブラシ（先端付け替え可能なミニ歯ブラシ）を植毛部とハンドル部と収納容器に分け、植毛部となる植毛台は、台の底面に凸部を設け、台の正面と背面に凹部を設け、台の平面に湾曲線状に毛穴を設ける等の装置を備えた台と台がジョイントして連続植毛した連続植毛台を作り、手に保持するハンドル部は先に容器がある杓子状で、容器は底に孔を設け、内側に凸部が在る形状にし、上記連続植毛台からジョイントを外して１個の植毛台を求め。その植毛台を上記ハンドルの容器に上から押し込むと底面の凸部の掛かりが容器の孔を通過し正面背面の凹部は容器内の凸に達して、植毛台がハンドルの容器内に固定して、ミニ歯ブラシが成る。固定を解除する場合は容器底から外に飛び出している凸部を逆に押し込んでなる。
【０００８】  植毛台平面に在る毛については即使用可能な状態に整毛するのが一般であるが、予め複雑な整毛をしていない一般よりも長い長毛植毛をした植毛台を提供し、該植毛台の整毛デザインについては使用者のニーズに任せ、使用者が自ら鋏で無駄な毛をカットするオリジナルなマイブラシの使用により、本発明ミニ歯ブラシの機能を最大に発揮させる事を可能にした。毛が折損しても、曲がってしまっても容易に自分で整毛する事ができる。
【０００９】  本発明のミニ歯ブラシを咄嗟に使用することで成る目的を達成する為には、ブラシを常時携行する必要が伴うので、片手で容易に容器の蓋を開閉できて、取り出し収納が簡便で衛生的に優れた図面にある如きＴ字型の容器をセットして提供する。
【発明の効果】
【００１０】  植毛部に雑菌が繁殖しないように植毛台をハンドルから外して、植毛部をアルコールや食塩水にひたしておけば、滅菌消毒が簡単に行える。
容易に植毛部を交換でき、シンプルで携行に適し咄嗟に使えその使用感が良く使用効果も直ぐに現れ、しかも省資源なエコロジー商品で製造原価も安価であるから良い。
食事や間食で歯を汚した後、歯を磨きたいと思った時、歯磨き剤や水を使わないで咄嗟に歯を磨く事ができるから、健康な歯を維持することが出来て全身の健康状態も良くなる。
従来の歯磨き習慣に要する一連の動作、歯磨き剤を使い、すすぎ水を使う等、洗面所における煩雑な歯磨きから少しでも開放できる。
本発明の歯ブラシは従来の歯ブラシにある概念を破り、今日までの悠長な歯磨き習慣とは対照的に合理性を追求し現代の生活様式に即し、新しい歯磨き習慣の先駆けとなり歯科衛生の向上と普及に裨益する歯ブラシにしてあるが、無論、従来の歯ブラシの如く毛束を多く使用した植毛台や対応するハンドルも本発明を援用して組み立て式で作り提供できる。
シンプルな本発明の歯ブラシで行うブラッシングは歯列のポイントを押さえた歯磨きが行えるから、動作に無駄がない、歯科医院等でのポイントブラッシングにさいてきであり、医療用具としての申請に適している。
携行し易すく、手軽で扱い易いから、歯を磨きたい時に磨けて口中がいつも爽快で居れる。利き酒や、味比べなどには必携の道具になる。
車を運転しながら新聞を読みながらＴＶを観ながら容易に扱える。
どんな献立の料理を出されても、歯間に詰まって困る心配をしなくてよいから招待を受けた食事会の席でも苦にならない。
爪楊枝を使うように植毛が少ない歯ブラシで軽くブラッシングすれば従来のような悩みは霧消しグルメを楽しく感じられる。
従来、寝たきりの生活をしている人々の歯磨きは大変なご苦労が伴っていたが、本発明歯ブラシを用い始めると、何か食べたら歯を磨く習慣が日常に成る。食事をしたあと多少咀嚼できていない食物残渣が歯間に残っていたりしていても、軽くブラッシングすると野菜や肉の筋が容易に歯間から排出される。使い始めは数日前の残渣など異臭を伴う物も排出されるから排出物を外に出し、植毛台も洗浄するのが良いが、食後に何時もブラッシングが習慣になると古い食物残渣は殆ど無いから異臭も殆ど無い。食べた直後の食物残渣なら不衛生で汚い物であるはずはないから、唾液と共に飲み込んだとしても問題は無い。
少し使い慣れると誰にでも簡単に行える行為であるから、特に寝たきりの生活における本発明の使用は歯科衛生面で画期的な進歩であり、使用者において著しく快適な食事と歯磨き生活ができる。
味見をする際には歯茎を軽くブラッシングすると、確かな食感が得られるし、グルメな会食パーティーの席においても美味しく食感を満喫できるから素晴らしい。
何時でも何処でも、そこが砂漠の真只中や宇宙船の中など極限の環境においても、堂々と歯磨きが行える。
本発明の歯ブラシの製法は簡単であり、大量生産にも適しているから、安価に提供する事が可能であり、水や歯磨き剤を使わない省資源、歯ブラシを作る素材も少量であり、この歯ブラシによる歯磨き習慣（朝昼夕の食事や間食の後のブラッシング）を１度実行してみれば、その爽快さが身体中に伝わり、使い続ければ著しく健康な歯に成る。
無論、本発明歯ブラシは従来歯ブラシと比べ著しい進歩が在るがリスクや問題点は見当たらない。
【発明を実施するための最良の形態】
【００１１】  台の平面に長めの毛を湾曲線状に連続植毛した連続植毛台のジョイントを解除し、植毛台平面の毛を鋏で山形のデザインにし、該植毛台をハンドルの容器内に納めて成るミニ歯ブラシを作り、該ミニ歯ブラシを形状に合わせたミニ歯ブラシ容器に納める形態である。
【実施例１】
【００１２】  図１に示すのはカートリッジ式ミニ歯ブラシの植毛部は凹凸あるプラスチックの台に植毛し、ハンドルについて一部先端側容器部分は金属とプラスチックを組み合わせ、その他の部位は専らプラスチックを用いた。連続植毛台に在る毛の状態は長毛植毛であるが、ハンドルに嵌めた植毛台の毛は鋏で山形に整毛を施した。組み合わせて成ったミニ歯ブラシをプラスチック製のＴ型ミニ歯ブラシ容器に納めることにより、使用目的を満たすための構成に成った状態を示す略図である。【００１３】  図２に示すのは２列６点植毛山形整毛した連続植毛台を示す略図である。【００１４】  図３に示すのは、２列６点植毛山形湾曲整毛した連続植毛台を示す略図である。
【産業上の利用可能性】
【００１５】  植毛台の素材はプラスチック製の方が量産に適し安価である。しかし資源や風合を考慮すると竹や木を使うのも良いし、ハンドルはプラスチックや金属、竹木や、それらを混合させた素材を用いるのも良い。
ブラシの毛もプラスチックが量産に適しているが、豚や狸の毛を使うのも良い。プラスチックなら生産原価は安価であり、物も小さく、変質しにくい物なら流通管理が容易であるが、限り在る資源である石油から作られるプラスチックにいつまでも依存する時代ではない。
新規に起業する産業として社会的裨益度が高い本発明を製造販売するについて、小資本でリスクが少ないから成功の可能性は非常に高い。
歯科医院や介護施設、ホテルやレストラン、弁当屋等からの需要がおおいに期待される。扱い方がシンプルであり説明がほとんど要らない。携行に問題が無く安価で健康に欠かせない点を考慮すると、あらゆる世代の人々、健常者から非健常者、入院の寝たきり患者の方々にとって限りなく需要がある。
本発明によるミニ歯ブラシが秘める商品力であるが、デザインと機能を熟慮して数多くの種類を品揃えし、全国、全世界の消費者に販路を求めて普及活動をしても、臆する事なしに堂々と胸を張って宣伝できる。世界の隅々にまで浸透させるに恥じない産業として発展する可能性が十分に在ると思考する。
【図面の簡単な説明】
【００１６】
【図１】図１に示すのは連続台に植毛をした連続植毛台であり長毛植毛の横から見た湾曲３点植毛台と、該連続植毛台の毛を自ら鋏で山形に整毛して、ジョイントを外した山形湾曲３点植毛台とハンドルを組み合わせて成るミニ歯ブラシを求め、専用の容器に納める過程を示す略斜視図である。（実施例１）
【図２】図２に示すのは連続山形に６点植毛した連続植毛台と、該植毛台とハンドルを組み合わせて成るミニ歯ブラシを示す部分の略斜視図である。（実施例２）
【図３】図３に示すのは連続山形湾曲に６点植毛した連続植毛台と、該植毛台とハンドルを組み合わせて成るミニ歯ブラシを示す部分の略斜視図である。（実施例３）
【符号の説明】
【００１７】１      底面角凸
２      側面凹
４      ジョイント
６      連続植毛台
【図１】
2010110607.tif 000003
【図２】
2010110607.tif 000004
【図３】
2010110607.tif 000005